(57)【要約】【課題】  読影医による医用画像の読影作業時の病変見逃しを軽減する医用画像表示装置を提供すること。【解決手段】  医用画像をスクロールしながら、表示画面に表示する医用画像装置３において、医用画像のデータを記憶する画像記憶部２０と、前記医用画像の全範囲に対する、前記スクロールに従って前記表示画面に表示された表示済範囲の関係を表す図形を発生する読影ガイド発生部２６と、前記医用画像の一部範囲を前記図形とともに前記表示画面に表示する表示部１６とを具備する。【選択図】  図２
2014104040.tif 000002
【特許請求の範囲】
【請求項１】
医用画像をスクロールしながら、表示画面に表示する医用画像表示装置において、
前記医用画像のデータを記憶する画像記憶部と、
前記医用画像の全範囲に対する、前記スクロールに従って前記表示画面に表示された表示済範囲の関係を表す図形を発生する図形発生部と、
前記医用画像の一部範囲を前記図形とともに前記表示画面に表示する表示部と、
を具備することを特徴とする医用画像表示装置。
【請求項２】
医用画像をスクロールしながら、表示画面に表示する医用画像表示装置において、
前記医用画像のデータを記憶する画像記憶部と、
前記医用画像の全範囲の面積に対する前記スクロールに従って前記表示画面に表示された表示済範囲の面積の割合を計算する計算部と、
前記医用画像の一部範囲とともに、前記割合を図形表示又はテキスト表示する表示部と、
を具備することを特徴とする医用画像表示装置。
【請求項３】
医用画像をスクロールしながら、表示画面に表示する医用画像表示装置において、
前記医用画像のデータを記憶する画像記憶部と、
前記医用画像に一定の間隔で配置された読影点の総数に対する前記スクロールに従って前記表示画面に表示された表示済範囲に含まれる読影点の合計数の割合を計算する計算部と、
前記医用画像の一部範囲とともに、前記割合を図形表示又はテキスト表示する表示部と、
を具備することを特徴とする医用画像表示装置。
【請求項４】
医用画像をスクロールしながら、表示画面に表示する医用画像表示装置において、
前記医用画像のデータを記憶する画像記憶部と、
前記スクロールに従って前記表示画面に表示された表示済範囲の前記医用画像中の位置を前記スクロールの移動量及び前記医用画像に対する前記表示済範囲の拡大率に基づいて特定する位置特定部と、
前記医用画像の全範囲に対する前記表示済範囲の位置に基づいて、前記医用画像の全範囲を表すフレームに対して、前記表示済範囲を表す図形を重ねた読影ガイド図を発生する読影ガイド図発生部と、
前記医用画像の一部範囲を前記読影ガイド図とともに表示する表示部と、
を具備することを特徴とする医用画像表示装置。
【請求項５】
前記位置特定部は、前記表示画面に表示中の一部範囲の位置を前記スクロールの移動量及び前記医用画像に対する前記一部範囲の拡大率に基づいて特定し、
前記読影ガイド図発生部は、前記表示済範囲及び前記一部範囲の前記医用画像に対する位置に基づいて、前記医用画像の全範囲を表すフレームに対して、前記表示済範囲を表す図形及び前記一部範囲を表す図形を重ねた読影ガイド図を発生すること、
を特徴とする請求項４に記載の医用画像表示装置。
【請求項６】
原医用画像をスクロールしながら、表示画面サイズに応じて、その部分画像を拡大表示する医用画像表示装置において、
前記原医用画像のデータを記憶する画像記憶部と、
前記部分画像とその周辺画像とを、前記原医用画像中の位置関係を維持した状態で前記表示画面に表示する表示部とを具備し、
前記原医用画像の周辺画像と、前記表示画面に表示された周辺画像との間の、画像の縦横比が異なること、
を特徴とする医用画像表示装置。
【請求項７】
前記表示済範囲の表示済条件を設定する表示済条件設定部と、
前記表示済条件に含まれる表示済時間と、前記一部範囲が前記表示画面に停止表示された時間とを比較することにより、前記一部範囲から表示済範囲を判定する表示済範囲判定部と、
をさらに具備することを特徴とする請求項１乃至５のいずれか一項に記載の医用画像表示装置。
【請求項８】
前記表示済範囲の表示済条件を設定する表示済条件設定部と、
前記表示済条件に含まれる拡大率範囲と、前記一部範囲の前記医用画像に対する拡大率とを比較することにより、前記一部範囲から表示済範囲を判定する表示済範囲判定部と、
をさらに具備することを特徴とする請求項１乃至５のいずれか一項に記載の医用画像表示装置。
【請求項９】
前記表示画面への画像の表示時間と医用画像に対する拡大率とを対応付けた対応表を記憶する対応表記憶部をさらに具備し、
前記表示済条件設定部は、前記一部範囲の前記医用画像に対する拡大率と前記対応表とに基づいて前記表示済時間を設定すること、
を特徴とする請求項７乃至８のいずれか一項に記載の医用画像表示装置。
【請求項１０】
前記表示済条件に含まれる表示終了割合と、前記医用画像の表示割合とを比較することにより、前記医用画像の表示終了の可否を判定する表示終了判定部と、
前記表示終了判定部による判定結果を操作者に報知するための画像を発生する報知画像発生部と、
をさらに具備し、
前記表示部は、前記表示終了判定部からの出力を契機に、前記報知画像を前記表示画面に表示することを特徴とする請求項１乃至３、又は請求項７乃至９のいずれか一項に記載の医用画像表示装置。
【発明の詳細な説明】
【技術分野】
【０００１】
本発明の実施形態は、医用画像を表示する医用画像表示装置に関する。
【背景技術】
【０００２】
Ｘ線コンピュータ断層撮影（Ｃｏｍｐｕｔｅｄ  Ｔｏｍｏｇｒａｐｈｙ）装置（以下、Ｘ線ＣＴ装置と呼ぶ）、及び磁気共鳴イメージング（Ｍａｇｎｅｔｉｃ  Ｒｅｓｏｎａｎｃｅ  Ｉｍａｇｉｎｇ）装置（以下、ＭＲＩ装置と呼ぶ）などのモダリティにより発生された複数の医用画像のデータは、患者を特定する情報、撮影条件及び医者による読影結果などの付帯情報とともに、ローカルエリアネットワーク（Ｌｏｃａｌ  Ａｒｅａ  Ｎｅｔｗｏｒｋ：以下ＬＡＮと呼ぶ）を介してサーバ装置などに保存される。医者などの読影医は、例えば、読影用のパーソナルコンピューター（Ｐｅｒｓｏｎａｌ  Ｃｏｍｐｕｔｅｒ：以下ＰＣ）を用いて、サーバ装置に保存された医用画像を読み出す。そして、呼び出された医用画像はＰＣの表示画面に表示され、読影医による診察に活用される。
【０００３】
近年、モバイル端末の性能向上及び無線技術の進化に伴い、例えば、医師等による病院内の回診や読影業務において、スマートフォンやタブレット等のモバイル端末が使用されるようになってきている。これらのモバイル端末の多くは、病院内のローカルエリアネットワーク（Ｌｏｃａｌ  Ａｒｅａ  Ｎｅｔｗｏｒｋ：以下ＬＡＮと呼ぶ）に無線で接続され、医師は、いつでも、どこでも、ＬＡＮを介してサーバ装置にアクセスし、患者情報を取得できるようになった。
【０００４】
しかし、モバイル端末使用による医用画像の読影作業においては、モバイル端末の画面サイズが小ささから、医用画像を拡大表示しての読影作業となるため、医用画像に含まれる病変箇所を見逃しやすくなるという懸念がある。
【発明の概要】
【発明が解決しようとする課題】
【０００５】
目的は、読影医による医用画像の読影作業時の病変見逃しの危険性の低減を実現する医用画像表示装置を提供することにある。
【課題を解決するための手段】
【０００６】
実施形態によれば、医用画像をスクロールしながら、表示画面に表示する医用画像表示装置において、前記医用画像のデータを記憶する画像記憶部と、前記医用画像の全範囲に対する、前記スクロールに従って前記表示画面に表示された表示済範囲の関係を表す図形を発生する図形発生部と、前記医用画像の一部範囲を前記図形とともに前記表示画面に表示する表示部と、を具備することを特徴とする医用画像表示装置を提供する。
【０００７】
実施形態によれば、医用画像をスクロールしながら、表示画面に表示する医用画像表示装置において、前記医用画像のデータを記憶する画像記憶部と、前記医用画像の全範囲の面積に対する前記スクロールに従って前記表示画面に表示された表示済範囲の面積の割合を計算する計算部と、前記医用画像の一部範囲とともに、前記割合を図形表示又はテキスト表示する表示部と、を具備することを特徴とする医用画像表示装置を提供する。
【０００８】
実施形態によれば、医用画像をスクロールしながら、表示画面に表示する医用画像表示装置において、前記医用画像のデータを記憶する画像記憶部と、前記医用画像に一定の間隔で配置された読影点の総数に対する前記スクロールに従って前記表示画面に表示された表示済範囲に含まれる読影点の合計数の割合を計算する計算部と、前記医用画像の一部範囲とともに、前記割合を図形表示又はテキスト表示する表示部と、を具備することを特徴とする医用画像表示装置を提供する。
【０００９】
実施形態によれば、医用画像をスクロールしながら、表示画面に表示する医用画像表示装置において、前記医用画像のデータを記憶する画像記憶部と、前記スクロールに従って前記表示画面に表示された表示済範囲の前記医用画像中の位置を前記スクロールの移動量及び前記医用画像に対する前記表示済範囲の拡大率に基づいて特定する位置特定部と、前記医用画像の全範囲に対する前記表示済範囲の位置に基づいて、前記医用画像の全範囲を表すフレームに対して、前記表示済範囲を表す図形を重ねた読影ガイド図を発生する読影ガイド図発生部と、前記医用画像の一部範囲を前記読影ガイド図とともに表示する表示部と、を具備することを特徴とする医用画像表示装置を提供する。
【００１０】
実施形態によれば、原医用画像をスクロールしながら、表示画面サイズに応じて、その部分画像を拡大表示する医用画像表示装置において、前記原医用画像のデータを記憶する画像記憶部と、前記部分画像とその周辺画像とを、前記原医用画像中の位置関係を維持した状態で前記表示画面に表示する表示部とを具備し、前記原医用画像の周辺画像と、前記表示画面に表示された周辺画像との間の、画像の縦横比が異なることを特徴とする医用画像表示装置を提供する。
【図面の簡単な説明】
【００１１】
【図１】本実施形態に係る医用画像表示装置を含めた院内システム構成の一例を示す図である。
【図２】本実施形態に係る医用画像表示装置のブロック構成の一例を示す図である。
【図３】本実施形態に係る医用画像表示装置の操作者による読影開始前の設定作業に関するフローチャートの一例を示す図である。
【図４】本実施形態に係る医用画像表示装置のシステム制御部１２及び表示制御部１５の制御のもとに行われる読影作業時の処理に関するフローチャートの一例を示す図である。
【図５】本実施形態に係る医用画像表示装置の表示部の表示レイアウトの一例を示す図である。
【図６】本実施形態に係る医用画像表示装置の読影ガイド発生部による読影ガイド図の発生を説明するための図である。
【図７】本実施形態に係る医用画像表示装置の読影エリア抽出部が読影医用画像から読影エリアをピクセル値に基づいて抽出する方法を説明する図である。
【図８】本実施形態に係る医用画像表示装置の読影エリア抽出部が読影医用画像から読影エリアを読影エリア抽出図形を用いて抽出する方法を説明する図である。
【図９】本実施形態に係る医用画像表示装置の読影エリア抽出部が読影医用画像から読影エリアをフリーに設定した図形を用いて抽出する方法を説明する図である。
【図１０】本実施形態に係る医用画像表示装置の読影点割当部による読影エリアへの読影点の割り当て方法を説明する図である。
【図１１】本実施形態に係る医用画像表示装置の表示割合計算部による面積ベースでの表示割合の計算方法を説明する図である。
【図１２】本実施形態に係る医用画像表示装置の表示割合計算部による読影点ベースでの表示割合の計算方法を説明する図である。
【図１３】本実施形態に係る医用画像表示装置の読影終了確認画像発生部による発生される読影終了確認画像を説明する図である。
【図１４】本実施形態に係る医用画像表示装置における読影ガイド図の変形例を示す図である。
【発明を実施するための形態】
【００１２】
以下、図面を参照しながら本実施形態に係る医用画像表示装置を説明する。なお、以下の説明において、略同一の機能及び構成を有する構成要素については、同一符号を付し、重複説明は必要な場合にのみ行う。
【００１３】
図１は、本実施形態に係る医用画像表示装置１を含めた院内システム構成の一例を示す図である。図１に示すように、医用画像表示装置１は、医用画像撮影装置２と、ＰＡＣＳ（Ｐｉｃｔｕｒｅ  Ａｒｃｈｉｖｉｎｇ  Ｃｏｍｍｕｎｉｃａｔｉｏｎ  Ｓｙｓｔｅｍｓ：画像保存通信システム）３と、読影レポートシステム４とに対してＬＡＮを介して接続される。
【００１４】
医用画像表示装置１は、医用画像、医用画像の付帯情報及び読影レポートを表示するための表示デバイスを有する端末である。本実施形態に係る医用画像表示装置１は、医師などによる医用画像の読影を支援するための装置であるため、その表示端末を限定しない。医用画像表示装置１は、例えば、スマートフォンやタブレット等のモバイル端末であってもよいし、他の装置にその機能の一部が組み込まれていてもよい。
【００１５】
医用画像表示装置１は、ＰＡＣＳ３に記憶されている医用画像と、読影レポートシステム４に記憶されている読影レポートとを表示する。医師は、表示された医用画像や読影レポートを参照して、患者に対する診察を行う。
【００１６】
医用画像撮影装置２は、例えば、Ｘ線コンピュータ断層撮影（Ｃｏｍｐｕｔｅｄ  Ｔｏｍｏｇｒａｐｈｙ）装置（以下、Ｘ線ＣＴ装置と呼ぶ）、及び磁気共鳴イメージング（Ｍａｇｎｅｔｉｃ  Ｒｅｓｏｎａｎｃｅ  Ｉｍａｇｉｎｇ）装置（以下、ＭＲＩ装置と呼ぶ）などである。
【００１７】
ＰＡＣＳ３は、複数の医用画像のデータを記憶するためのＨＤＤ（Ｈａｒｄ  Ｄｉｓｋ  Ｄｒｉｖｅ）等である。
【００１８】
読影レポートシステム４は、読影医が医用画像に関する読影レポートを作成するためのＰＣ（Ｐｅｒｓｏｎａｌ  Ｃｏｍｐｕｔｅｒ）等である。作成された読影レポートは、読影レポートシステム４により、レポート作成元の医用画像と関連付けて記憶される。
【００１９】
これらの装置は、ＬＡＮを介して相互にデータ通信が可能である。これらの装置で扱う医用画像のデータ及びこれらの装置間でのデータ通信は、例えば、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格に準拠している。
【００２０】
医用画像撮影装置２は、医用画像撮影装置２にて撮影された医用画像のデータを、ＬＡＮを介してＰＡＣＳ３に送信する。ＰＡＣＳ３は、受信した医用画像のデータを、その付帯情報、例えば、検査日時情報、患者情報、読影情報及びシリーズ情報に基づいてデータベース化して管理する。ＰＡＣＳ３は、データベースに基づいて、記憶している複数の医用画像のデータに関するリストを作成する。例えば、医用画像表示装置１から送信された特定の患者の医用画像に関するリストの取得要求に応じて、リストを作成する。ＰＡＣＳ３は、作成したリストのデータをＬＡＮを介して取得要求先の医用画像表示装置１に送信する。
【００２１】
読影レポートシステム４は、読影レポートシステム４を操作する読影医等の指示に従って、ＰＡＣＳ３から医用画像のデータを読み出し、表示する。読影医等は、表示された医用画像を読影し、読影レポートを作成する。読影レポートには、読影医等による読影結果、例えば、病変情報などが含まれる。その読影結果は、レポート作成元の医用画像の付帯情報に追加、更新されてもよい。更新された医用画像のデータは、読影レポートシステム４を介した操作者の指示に従って、ＰＡＣＳ３に記憶されている医用画像のデータに上書きされる。読影レポートは、読影レポートシステム４に、レポート作成元の医用画像と関連付けて記憶される。
【００２２】
読影レポートシステム４は、医用画像表示装置１からの医用画像のデータの取得要求に応じて、ＰＡＣＳ３から医用画像のデータを読み出す。読影レポートシステム４は、読み出した医用画像のデータを、読み出した医用画像と関連付けされている読影レポートのデータとともに、医用画像表示装置１に送信する。なお、医用画像表示装置１からの医用画像のデータの取得要求に応じて、ＰＡＣＳ３から医用画像のデータが、医用画像表示装置１に送信されてもよい。
【００２３】
本実施形態では、モダリティを医用画像撮影装置２として記載しているが、これはモダリティを１つに限定しているものではない。したがって、複数のモダリティがＬＡＮに接続されていてもよい。また、本実施形態では、医用画像表示装置１、医用画像撮影装置２、ＰＡＣＳ３、及び読影レポートシステム４を個々に記載している。しかし、これらは説明を簡単にするため、その主な機能で分けたものである。これら個々の記載は、それぞれの機能を限定しているものではない。また、本実施形態で扱う医用画像のデータ及びこれらの装置間でのデータ通信がＤＩＣＯＭ規格に準拠していると記載しているが、他の規格に準拠していてもよい。
【００２４】
次に、本実施形態に係る医用画像表示装置１の構成について図２を参照して説明する。図２は、本実施形態に係る医用画像表示装置のブロック構成の一例を示す図である。医用画像表示装置１は、操作部１１と、システム制御部１２と、処理部１３と、記憶部１４と、表示制御部１５と、表示部１６と、受信部１７とを有する。
【００２５】
操作部１１は、例えば、マウスやキーボードなどの入力デバイスを有している。なお、入力デバイスは、トラックボール、タッチパネル、スイッチなどを備えてもよい。操作部１１は、操作者が医用画像表示装置１に対して指示情報を入力するためのインターフェースとして機能する。
【００２６】
システム制御部１２は、ＣＰＵ（Ｃｅｎｔｒａｌ  Ｐｒｏｃｅｓｓｉｎｇ  Ｕｎｉｔ）とメモリ回路などを含み、医用画像表示装置１を統括的に制御する。具体的には、システム制御部１２は、操作部１１から入力された情報を受け取り、一時的にメモリ回路に入力情報を記憶する。システム制御部１２は、この入力情報に基づいて処理部１３、記憶部１４、表示制御部１５及び受信部１７に制御信号を送信する。
【００２７】
受信部１７は、システム制御部１２からの制御信号に従い、ＬＡＮに接続されている、医用画像表示装置２、ＰＡＣＳ３、及び読影レポートシステム４との間でのデータの送受を行うための外部インターフェースである。医用画像表示装置１からＬＡＮを介して他装置にアクセスする方法は、有線でも無線でもよい。例えば、受信部１７は、装置間をＬＡＮケーブルで接続するためのコネクタ部を備える。また、受信部１７は、装置間を無線で接続するためのアンテナ部やデータを送受するための無線信号処理部を備えてもよい。この場合において、医用画像表示装置２、ＰＡＣＳ３、及び読影レポートシステム４も無線に対応した機能を有しているものとする。
【００２８】
記憶部１４は、画像記憶部２０及び条件記憶部１９を有する。記憶部１４は、半導体集積回路で構成されたＲＡＭ（Ｒａｎｄｏｍ  Ａｃｃｅｓｓ  Ｍｅｍｏｒｙ）、半導体記憶素子であるＦｌａｓｈ  ＳＳＤ（Ｓｏｌｉｄ  Ｓｔａｔｅ  Ｄｉｓｋ）などの半導体記憶装置、ＨＤＤなどである。画像記憶部２０及び条件記憶部１９は、システム制御部１２からの制御信号に従い、データの読み出し及びデータの記憶を行う。
【００２９】
画像記憶部２０は、複数の医用画像のデータを、関連する読影レポートのデータとともに記憶する。複数の医用画像のデータは、ＰＡＣＳ３及び読影レポートシステム４から、ＬＡＮを介して医用画像表示装置１に取り込まれる。読影レポートは、読影レポートシステム４から、ＬＡＮを介して医用画像表示装置１に取り込まれる。複数の医用画像のデータ及び複数の読影レポートを記憶する。複数の医用画像には、医用画像を個々に特定するコードと共に、モダリティ情報及び撮影部位などの情報が付帯されている。画像記憶部２０は、複数の医用画像をそれらの付帯情報の項目に基づいて分類し、階層化して管理する。また、画像記憶部２０は、読影ガイド発生部２６で発生された読影ガイド図を記憶する。
【００３０】
条件記憶部１９は、条件設定部２７で設定された表示済時間、表示拡大率範囲及び表示終了割合を記憶する。
【００３１】
処理部１３は、システム制御部１２からの制御信号に従い、表示部１６への医用画像の表示に関わる各種処理を行う。処理部１３は、読影エリア抽出部２１と、読影点割当部２２と、表示済点特定部２３と、表示済範囲特定部２４と、表示割合計算部２５と、読影ガイド発生部２６、条件設定部２７、表示終了判定部２８、読影終了確認画像発生部２９とを有する。これら、処理部１３内の各構成要素間の信号のデータ送受は、システム制御部１２からの制御信号に従って行われる。
【００３２】
読影エリア抽出部２１は、医用画像から医師が読影すべきエリア（読影エリア）を抽出する。読影エリアの抽出方法には、例えば、ピクセル値に基づいた方法、操作者がフリーに設定する方法及び予め設定された読影エリア抽出図形から選択する方法がある。これらの抽出方法の詳細説明は後述する。
【００３３】
読影点割当部２２は、操作者による読影の対象となる医用画像（読影医用画像）の読影エリアに対して読影点を割り当てる。読影点割当部２２による読影点の割り当て方法の詳細は後述する。
【００３４】
条件設定部２７は、医用画像表示装置１が表示部分範囲から表示済範囲を判定するための表示済時間及び表示拡大率範囲を設定する。条件設定部２７は、読影医用画像の表示終了を判定するための表示終了割合を設定する。なお、表示部分範囲とは、表示部１６に表示された読影医用画像の部分範囲である。さらに、条件設定部２７は、読影エリアの抽出方法及び表示割合の計算方法を、操作部１１を介して操作者により選択された方法に設定する。
【００３５】
表示済時間は、表示部分範囲が操作者により読影されたかを医用画像表示装置１が判定するための時間である。条件設定部２７は、表示済時間を、操作部１１を介して操作者により入力された値に従って設定される。表示済時間は、表示部１６に継続して静止表示された時間（継続時間）でも、表示部１６に表示された積算時間でもよい。表示済時間を継続時間と積算時間とのどちらで定義するかは、操作者により予め選択される。なお、読影医用画像に過去の表示済時間が付帯している場合において、条件設定部２７は、表示済時間を読影医用画像の付帯情報に基づいて設定してもよい。
【００３６】
条件設定部２７は、表示済時間を、表示部分範囲の読影医用画像に対する拡大率（以下、表示拡大率と呼ぶことにする）が変化する毎に設定してもよい。
【００３７】
例えば、表示拡大率が２倍時の表示済時間を基準値とする。なお、基準値は、操作者により設定された値である。この場合において、条件設定部２７は、表示済時間を、表示拡大率が２倍よりも大きくなるにつれて、基準値から段階的に短くなるように設定し、表示拡大率が２倍よりも小さくなるにつれて、基準値から段階的に長くなるように設定する。これは、表示拡大率が小さくなるにつれて、表示部１６に表示する読影医用画像の部分範囲が広くなり、病変自体が小さくなることで、操作者による読影に時間がかかることを想定している。表示済時間を一定値にするか、または変動値にするかは操作部１１を介した操作者の指示に従って設定される。
【００３８】
表示拡大率範囲は、表示部分範囲が操作者により読影可能な状態であるかを医用画像表示装置１が判定するための条件である。読影可能な状態とは、操作者が表示部分範囲の読影を通して、読影医用画像に含まれる病変などを発見することができる状態であることを指す。
【００３９】
操作者が病変を発見するためには、表示部分範囲は、読影医用画像に対して、病変が小さくなりすぎるまで縮小されてはいけない。また、表示部分範囲は、読影医用画像に対して、病変がぼやけて認識できないほど拡大されてはいけない。条件設定部２７は、表示部分範囲の表示拡大率の上限値と下限値の範囲（以下、表示拡大率範囲と呼ぶことにする。）を設定する。条件設定部２７は、操作部１１を介して操作者により入力された値にしたがって表示拡大率範囲を設定する。なお、条件設定部２７による表示拡大率範囲の設定は、予め操作者により条件記憶部１９に登録されていた表示拡大率範囲を他の読影医用画像に適用してもよい。
【００４０】
また、予め操作者により条件記憶部１９に登録されていた表示拡大率範囲の上限値と、表示部１６の解像度と、画像解像度との関係に基づいて、条件設定部２７は、読影医用画像の解像度及び画面解像度に応じた表示拡大率範囲の上限値を設定してもよい。
【００４１】
条件記憶部１９に、解像度５００×５００の読影医用画像を解像度５００×５００の表示部１６に表示した時の表示拡大率範囲の上限値が１６倍と登録されていた場合を想定する。この状態において、操作者は読影医用画像をぼやけずに読影が可能である。
【００４２】
この時、読影医用画像の画像解像度よりも表示部１６の画面解像度が大きい場合においては、表示拡大率範囲の上限値は１６倍となる。
【００４３】
一方、読影医用画像の画像解像度よりも表示部１６の画面解像度が小さい場合においては、表示制御部１５による読影医用画像の表示方法により、表示拡大率範囲の上限値は変動する。表示制御部１５による表示部１６への読影医用画像の拡大表示及び移動表示を読影医用画像から読み出しを行っている場合においては、表示拡大率範囲の上限値は変動しない。しかし、例えば、解像度５００×５００の読影医用画像を解像度２５０×２５０の表示部１６に全画面表示した状態を基準に表示制御部１５による表示部１６への読影医用画像の表示が行われる場合は、表示拡大率範囲の上限値は変動する。
【００４４】
つまり、表示制御部１５は、解像度５００×５００の読影医用画像を解像度２５０×２５０の表示部１６に全画面表示する場合、縦方向２ピクセル、横方向２ピクセルの間引き処理等を行う。この間引き処理等が行われた読影医用画像は、元の読影医用画像に比べて解像度が４分の１になるため、読影医用画像の表示拡大率範囲の上限値も４分の１になる。したがって、条件設定部２７は、表示拡大率範囲の上限値を４倍に設定する。
【００４５】
なお、拡大率とは、読影医用画像の解像度を基準に拡大した割合を示す。したがって、解像度５００×５００の画像を画面解像度５００×５００に全画面表示した場合において、拡大率は1倍である。また、解像度５００×５００の画像を画面解像度１０００×１０００に全画面表示した場合において、１ピクセルを４ピクセルにするように画像補間処理が行われるため、拡大率は４倍である。
【００４６】
表示終了割合は、読影医用画像の表示終了を医用画像表示装置１が判定するための条件である。条件設定部２７は、表示終了割合を、操作部１１を介して操作者により入力された値に従って設定する。こうして、条件設定部２７により設定された表示済時間、表示拡大率範囲及び表示終了割合は、条件記憶部１９に記憶される。
【００４７】
表示終了判定部２８は、読影医用画像の表示終了の可否を判定する。具体的には、表示終了判定部２８は、操作者により、表示部１６に表示された読影終了ボタンが押されたのを契機に、読影中の読影医用画像の表示割合と条件記憶部１９に記憶されている表示終了割合とを比較する。表示終了判定部２８は、比較結果に基づいて読影医用画像の表示終了の可否を判定する。
【００４８】
読影終了確認画像発生部２９は、読影医用画像に対する操作者による読影を終了して良いかを操作者に選択させるための読影終了確認画像を発生する。操作者により読影終了ボタンが押され、読影が終了されるまでの詳細説明は後述する。
【００４９】
表示済範囲特定部２４は、表示部１６に表示された表示部分範囲から表示済範囲を特定する。表示済範囲特定部２４により表示済範囲が特定される手順は後述の読影作業手順と併せて説明する。
【００５０】
表示済点特定部２３は、読影医用画像の読影エリアに対して割り当てられた複数の読影点から表示済点を特定する。表示済点特定部２３により表示済点が特定される手順は後述の読影作業手順と併せて説明する。
【００５１】
表示割合計算部２５は、読影エリアに対する表示済範囲の割合（以下、表示割合と呼ぶことにする。）を計算する。表示割合の計算には２つの方法がある。１つ目は、読影点を活用する方法である。この方法において、表示割合計算部２５は、読影医用画像の読影エリアに対して割り当てられた読影点の総数と表示済点特定部２３で特定された表示済点の合計数とに基づいて、表示割合を計算する。２つ目は、面積を活用する方法である。この方法において、表示割合計算部２５は、読影エリアの面積と表示済範囲特定部２４で特定された表示済範囲の面積とに基づいて、表示割合を計算する。これら２つの表示割合の計算手順の詳細は後述する。
【００５２】
読影ガイド発生部２６は、読影医用画像の全範囲に対する表示部分範囲の位置及び表示済範囲の位置に基づいて読影ガイド図を発生する。読影ガイド図の発生方法の説明は後述する。
【００５３】
表示制御部１５は、システム制御部１２からの制御信号に従い、画像記憶部２０から記読影医用画像の部分範囲及び読影ガイド図を読み出し、表示部１６に表示する。また、表示制御部１５は、表示割合計算部２５により計算された表示割合を数値又は図形として表示部１６に表示する。さらに、表示制御部１５は、操作者による読影作業の表示を終了を医用画像表示装置１に入力するための読影終了ボタンを表示部１６に表示する。読影医用画像の部分範囲、読影ガイド図、表示割合及び読影終了ボタンは、予め設定された表示レイアウトに従って、表示部１６に表示される。表示レイアウトの説明は後述する。
【００５４】
次に、本実施形態に係る医用画像表示装置１のシステム制御部１２及び表示制御部１５の制御のもとに行われる処理について、医用画像表示装置１の条件設定時と読影作業時とに分けて説明する。まず、操作者による条件設定時における、表示制御部１５による表示処理について図３を参照して説明する。図３は、本実施形態に係る医用画像表示装置１の表示制御部１５による設定作業時の表示処理に関するフローチャートの一例を示す図である。
【００５５】
まず、表示制御部１５は、患者リストを表示する（ステップＳ１１）。患者リストは、ＰＡＣＳ３で作成され、ＬＡＮを介して医用画像表示装置１に取り込まれたものである。操作者は、表示された患者リストを参照して特定の患者を選択する。すると、表示制御部１５は、選択された患者に関する医用画像のリストを表示する（ステップＳ１２）。操作者は、表示された医用画像のリストから、読影する医用画像（以下、読影医用画像と呼ぶことにする。）を選択する。すると、選択された読影医用画像のデータが、ＰＡＣＳ３から読影レポートシステム４、ＬＡＮ、及び受信部１７を介して医用画像表示装置１に取り込まれる。読影医用画像のデータは、画像記憶部２０に記憶される。そして、表示制御部１５は、画像記憶部２０から読影医用画像の読み出し、画像を全体表示する（ステップＳ１３）。読影医用画像が表示されると、表示制御部１５は、画像記憶部２０から読影ガイド図を読み出し、読影医用画像に対して重ねて表示する（ステップＳ１４）。さらに、表示制御部１５は、表示割合計算部２５により計算された表示割合を数値として読影医用画像に重ねて表示する（ステップＳ１５）。
【００５６】
次に、表示制御部１５は、読影エリアの抽出方法のリストを表示する（ステップＳ１６）。読影エリアの抽出方法は、ピクセル値に基づいた方法、操作者がフリーに設定する方法及び予め設定された読影エリア抽出図形から選択する方法である。操作者は、抽出方法のリストから所望の方法を選択する。そして、条件設定部２７は、読影エリアの抽出方法を、操作者により選択された方法に設定する。
【００５７】
次に、表示制御部１５は、表示割合の計算方法のリストを表示する（ステップＳ１７）。表示割合の計算方法は、面積ベースの方法及び読影点ベースの方法である。操作者は、表示割合の計算方法のリストから所望の方法を選択する。そして、条件設定部２７は、表示割合の計算方法を、操作者により選択された方法に設定する。こうして、ステップＳ１１からステップＳ１７を経て読影開始前の医用画像表示装置１の設定が完了する。
【００５８】
次に、操作者による読影作業時における、システム制御部１２及び表示制御部１５の制御のもとに行われる処理について図４を参照して説明する。図４は、本実施形態に係る医用画像表示装置１のシステム制御部１２及び表示制御部１５の制御のもとに行われる読影作業時の処理に関するフローチャートの一例を示す図である。なお、表示部１６は、図３の設定完了時の表示状態である。したがって、表示制御部１５により、読影医用画像に対して読影ガイド図及び表示割合が重ねて表示されている。
【００５９】
まず、表示制御部１５は、操作者による特定操作に従って指定された、読影医用画像の部分範囲を表示する（ステップＳ２１）。操作者による特定操作は、操作部１１を介して行われる。特定操作には、表示範囲の移動操作及び表示範囲の拡大縮小操作がある。
【００６０】
表示範囲の移動操作においては、例えば、操作者が、表示画面上で表示範囲を移動させたい方向の位置にマウスのポインタを移動させ、クリックすることで表示範囲が移動される。また、表示画面上にスクロールバーを表示させ、それをマウスで操作してもよい。また、キーボードの特定のキーに表示範囲の移動操作機能を割り当て、その特定のキー操作により表示範囲の移動が行われてもよい。
【００６１】
表示範囲の拡大縮小操作においては、例えば、操作者が、マウスのホイールボタンを回転させ、その回転方向に従って、表示範囲の拡大及び縮小が行われる。また、表示画面上に拡大ボタンと縮小ボタンを表示させ、それをマウスで操作することで表示範囲の拡大及び縮小が行われてもよい。また、キーボードの特定のキーに、画像の拡大縮小機能を割り当て、その特定のキー操作により表示範囲の拡大及び縮小が行われてもよい。そして、表示制御部１５は、表示部分範囲の変更に伴って更新された読影ガイド図を表示する（ステップＳ２２）。
【００６２】
次に、システム制御部１２及び表示制御部１５の制御により、表示部分範囲が表示済範囲であるかの判定、読影ガイド図の更新及び表示割合の更新が行われる。表示部分範囲が表示済範囲であるかは、表示部分範囲の表示条件が表示済条件を満たすかで判定される。まず、表示済範囲特定部２４は、条件記憶部１９から表示拡大率範囲を読み出す。そして、表示済範囲特定部２４は、表示部分範囲の表示拡大率が表示拡大率範囲内であるかを判定する（ステップＳ２４）。表示拡大率が表示拡大率範囲内である場合において、表示済範囲特定部２４は、表示部分範囲の表示時間が表示済時間以上であるかを判定する（ステップＳ２５）。表示部分範囲の表示時間が表示済時間以上である場合において、表示済範囲特定部２４は、表示部分範囲を表示済範囲と判定する。したがって、表示済条件とは、表示部分範囲が、その表示拡大率が表示拡大率範囲内で、且つその表示時間が表示済時間以上である条件であることを指す。そして、表示済範囲の部分画像が、読影医用画像の全範囲に対する位置情報とともに画像記憶部２０に記憶される（ステップＳ２５）。また、読影ガイド発生部２６は、読影ガイド図上の表示部分範囲を表す図形を表示済範囲を表す図形とした読影ガイド図を発生する。そして、表示制御部１５は、表示中の読影ガイド図を更新する（ステップＳ２６）。次に、表示割合計算部２５は、表示割合を計算する（ステップＳ２７）。表示済点特定部２３は、表示済範囲に含まれる表示済点を特定する。そして、表示割合計算部２５は、読影エリアに含まれる読影点総数と表示済範囲に含まれる表示済点数の合計数に基づいて表示割合をする。そして、表示制御部１５は、表示中の表示割合の数値表示を更新する（ステップＳ２８）。
【００６３】
次に、システム制御部１２は、表示部１６に表示されている読影終了ボタンが押されたかを検知する（ステップＳ３０）。読影終了ボタンが押されていない状態は、操作者による読影作業が行われていることを指すため、ステップＳ２１に手順が戻る。読影終了ボタンが押された場合において、システム制御部１２は、読影終了ボタンが操作者により押されたのを通知する信号を表示終了判定部２８に送信する。表示終了判定部２８は、その信号を受信したのを契機に、条件記憶部１９から表示終了割合を読み出す。そして、表示終了判定部２８は、読影中の読影医用画像の表示割合と表示終了割合とを比較する（ステップＳ３０）。表示割合が表示終了割合以上の場合において、表示終了判定部２８は、操作者により読影医用画像に対する読影作業が終了したと判定する。すると、表示制御部１５は、表示終了判定部２８からの読影医用画像の表示終了を通知する信号を受信したのを契機に、読影医用画像の表示を終了する。
【００６４】
一方、表示割合が表示終了割合未満の場合において、表示終了判定部２８は、操作者により読影医用画像に対する読影作業が終了していないと判定する。そして、読影終了確認画像発生部２９は、表示終了判定部２８からの出力に基づいて、読影終了確認画像を発生する。そして、表示制御部１５は、発生された読影終了確認画像を表示する（ステップＳ３１）。読影終了ボタンが押され、読影終了確認画像が表示されるまでの説明は後述する。そして、システム制御部１２は、読影終了確認画像に含まれる読影途中終了ボタンが操作者により押されたかを検知する（ステップＳ３２）。読影途中終了ボタンが押されていない場合において、表示終了判定部２８は、操作者により読影医用画像の読影作業が途中であると判定し、ステップＳ２１に手順が戻る。読影途中終了ボタンが押された場合において、システム制御部１２は、読影途中終了ボタンが操作者により押されたのを通知する信号を表示制御部１５に送信する。表示制御部１５は、システム制御部１２からの信号を受信したのを契機に、読影医用画像の表示を終了する。
【００６５】
以上のような手順を経て、本実施形態に係る医用画像表示装置を用いた操作者による一連の読影作業が終了される。なお、フローチャートは一例である。したがって、フローチャートの各手順の順序は、本発明の効果が失われない限り、前後してもよい。
【００６６】
次に、表示制御部１５により表示部１６に表示される読影医用画像の部分範囲、読影ガイド図及び表示割合のレイアウトについて説明する。図５は、本実施形態に係る医用画像表示装置の表示部１６の表示レイアウトの一例を示す図である。
【００６７】
図５に示すように、表示制御部１５は、表示部分範囲に対して読影ガイド図、表示割合及び読影終了ボタンを重ねて表示する。ここでは、表示割合は数値として表示されるものとする。
【００６８】
読影ガイド図は、読影医用画像を表すフレームに対して、表示済範囲を表す図形及び表示部分範囲を表す図形を重ねた図である。表示済か否かは、各図形に割り当てられた色の種類や色の濃淡などにより互いに区別される。さらに、読影ガイド図の大きさに対する表示部分範囲及び表示済範囲の大きさは、読影医用画像に対する実際の表示部分範囲及び表示済範囲の大きさと相似関係である。操作者は、読影作業をしながらも、表示部分範囲に重ねて表示される読影ガイド図を見ることで、読影医用画像上のどの範囲を読影しているのか、また、既に読影した範囲がどこなのかを確認できる。
【００６９】
表示割合は、読影エリアに対する表示済範囲の割合である。操作者は、読影作業をしながらも、表示部分範囲に重ねて表示される表示割合を見ることで、読影医用画像のどれだけの割合を読影したのかを確認できる。
【００７０】
これらの効果により、読影医等による読影医用画像に対する読影作業時の病変見逃しの危険性の低減が可能である。なお、読影ガイド図及び表示割合は、操作者の読影を支援するためのものであるから、これらの表示位置は、図５で示した位置に限定されない。操作者が表示部分範囲を読影しながらも、読影ガイド図及び表示割合を確認できる位置であれば、表示部１６上のどこに表示されていてもよい。また、表示制御部１５は、操作者によるマウスの特定操作、例えば、クリック操作などに従って、表示部分範囲と全画面表示した読影ガイド図とを切り替えて表示する機能を有してもよい。
【００７１】
次に、読影ガイド発生部２６による読影ガイド図の発生手順について説明する。図６は、本実施形態に係る医用画像表示装置の読影ガイド発生部２６による読影ガイド図の発生を説明するための図である。
【００７２】
読影ガイド発生部２６は、読影医用画像を２次元のｘｙ座標系で置き換えたフレームとして認識する。この時、読影ガイド発生部２６は、読影医用画像のフレームを画像とともに認識してもよい。次に、読影ガイド発生部２６は、操作者により指定された表示部分範囲Ａの読影医用画像の全範囲に対する位置及び大きさを特定する。読影医用画像の全範囲に対する位置及び大きさの特定は、操作者によるスクロールの移動量及び表示部分範囲Ａの表示拡大率に基づいて行われる。そして、読影ガイド発生部２６は、特定した位置及び大きさに基づいて、表示部分範囲Ａを表す図形をフレームに重ねる。この読影医用画像を表すフレームに表示部分範囲Ａを表す図形を重ねた図形が読影ガイド図である。読影ガイド発生部２６により発生された読影ガイド図は、画像記憶部２０に記憶される。表示制御部１５は、画像記憶部２０に記憶された読影ガイド図を読み出し、予め設定された縮小率で縮小する。そして、表示制御部１５は、予め設定された表示レイアウトに従って、表示部分範囲に対して読影ガイド図を重ねて表示する。さらに、読影ガイド発生部２６は、表示済範囲特定部２４からの表示部分範囲Ａの表示条件が表示済条件を満たしたことを通知する信号を受信したのを契機に、読影ガイド図上の表示部分範囲Ａを表す図形を表示済範囲を表す図形に変更した読影ガイド図を発生する。そして、画像記憶部２０に記憶されている読影ガイド図が更新される。表示制御部１５は、画像記憶部２０からの読影ガイド図の読み出しを、予め設定されたタイミングで行う。そのタイミングとは、予め設定された一定間隔であってもよいし、表示部１６上の操作者によるマウス操作信号が発生されたのを契機でもよい。以上のように、読影ガイド発生部２６は、表示部分範囲の変更時及び表示部分範囲の表示条件が表示済条件を満たした時に、読影ガイド図を更新する。
【００７３】
次に、読影エリアの抽出方法について図７乃至図９を参照して説明する。本説明では、読影医用画像を超音波画像としている。まず、ピクセル値に基づいた抽出方法について、図７を参照して説明する。図７は、本実施形態に係る医用画像表示装置の読影エリア抽出部２１が読影医用画像から読影エリアをピクセル値に基づいて抽出する方法を説明する図である。ピクセル値に基づいた抽出方法において、読影エリア抽出部２１は、医用画像を構成している各ピクセルのピクセル値を参照する。そして、ピクセル値が予め設定されている範囲内のピクセルを抽出する。抽出されたピクセルで構成されるエリアが読影エリアである。この方法において、医師などは、ピクセル値の範囲（ピクセル値の下限値と上限値）を、操作部１１を介して予め設定する。なお、医用画像内に複数のエリアが含まれている場合においては、例えば、その中から最も広いエリアを読影エリアとする。
【００７４】
次に、予め登録された読影エリア抽出図形を用いた抽出方法について、図８を参照して説明する。図８は、本実施形態に係る医用画像表示装置の読影エリア抽出部２１が読影医用画像から読影エリアを読影エリア抽出図形を用いて抽出する方法を説明する図である。図８に示すように、操作者は、読影エリア抽出図形のリストから所望の図形を選択する。読影エリア抽出図形のリストには、例えば、円や矩形などの図形が含まれる。そして、操作者は、選択した図形を読影エリアにすべき位置に配置、その大きさをマウス等を用いて調整する。読影エリア抽出部２１は、操作者により選択、配置、調整された図形で囲まれたエリアを読影エリアとして設定する。
【００７５】
次に、フリーに設定した図形で抽出する方法について、図９を参照して説明する。図９は、図９は、本実施形態に係る医用画像表示装置の読影エリア抽出部２１が読影医用画像から読影エリアをフリーに設定した図形を用いて抽出する方法を説明する図である。図９に示すように、操作者は、操作部１１のマウス等のポインタデバイスを用いて読影医用画像上の読影すべきエリアを囲む。読影エリア抽出部２１は、操作者により設定された図形で囲まれたエリアを読影エリアとして設定する。
【００７６】
次に、読影点割当部２２による読影エリアに対する読影点の割り当て方法について説明する。図１０は、本実施形態に係る医用画像表示装置の読影点割当部２２による読影エリアへの読影点の割り当て方法を説明する図である。
【００７７】
読影点割当部２２は、読影エリア抽出部２１により抽出された読影エリアを認識し、読影エリア内の基準位置から読影点を割り当てる。基準位置は、例えば、読影エリアの最左下の位置、読影エリアの重心位置に設定される。また、操作部１１を介して操作者により基準位置が設定されてもよい。
【００７８】
読影点の割り当て間隔は、操作者により予め設定されたピクセル間隔で設定される。しかしながら、読影点の割り当て間隔は、表示拡大率範囲における最大拡大率に基づいて決定されてもよい。図１０に示すように、解像度９００×９００の読影医用画像の最大表示拡大率が６倍に設定されていた場合において、読影点割当部２２は、縦横に１５０ピクセル毎に読影点を割り当てる。すると、最大表示拡大率6倍時に表示される範囲に少なくとも１つの読影点が割り当てられる。
【００７９】
パターンＡのように、読影エリアの最左下に基準位置が設定される場合において、基準位置から縦横に１５０ピクセル毎に読影点が割り当てられると、縦方向に７つ、横方向に７つ、総数４９つの読影点が読影点割当部２２により割り当てられることになる。
【００８０】
また、パターンＢのように、操作者により読影エリア内の基準位置が設定された場合においては、読影点が縦方向に６つ、横方向に７つ、総数４２つの読影点が読影点割当部２２により割り当てられることになる。表示制御部１５は、これらの読影点を読影作業時には非表示にするが、操作部１１を介した操作者による特定のマウス操作等で表示してもよい。
【００８１】
次に、表示割合計算部２５による表示割合の計算方法について説明する。表示割合の計算には、画像面積を用いる面積ベースの方法と、読影点を用いる読影点ベースの方法とがある。まず、表示割合の計算に画像面積を用いる画像ベースの方法について説明する。図１１は、本実施形態に係る医用画像表示装置の表示割合計算部２５による面積ベースでの表示割合の計算方法を説明する図である。なお、表示割合の計算方法に関する説明においては、読影医用画像の解像度は５００×４００とする。なお、読影エリアは読影医用画像全体とする。
【００８２】
まず、表示割合計算部２５は、読影医用画像を２次元のｘｙ座標系で置き換えて認識する。そして、表示部分範囲４０の表示条件が表示済条件を満たし表示済とされると、表示済範囲特定部２４は、表示済範囲４１の表示拡大率及びスクロールの移動量により表示済範囲４１のｘｙ範囲を特定し、特定したｘｙ範囲に基づいて、表示済範囲４１の面積を計算する。そして、表示割合計算部２５は、表示済範囲４１の面積及び読影医用画像３９の全範囲の面積に基づいて、表示割合を計算する。そして、計算された表示割合は表示部１６に数値として表示される。なお、表示済範囲４１の部分画像は、そのｘｙ範囲の座標情報とともに画像記憶部２０に記憶される。
【００８３】
次に、操作部１１を介した操作者の指示に従って指定された表示部分範囲４４が表示される。そして、表示部分範囲４４の表示条件が表示済条件を満たし読影済とされると、上述の手順に従って、表示割合計算部２５は表示割合を計算する。そして、表示制御部１５は、表示部１６に表示されていた表示割合を更新する。なお、表示割合には、その一操作前までの表示割合が含まれるため、一操作前までの表示割合が加算されている。表示済範囲４５の部分画像は、そのｘｙ範囲の位置座標の情報とともに画像記憶部２０に記憶される。
【００８４】
次に、操作部１１を介した操作者の指示に従って表示部分範囲４８が表示される。そして、表示部分範囲４８の表示条件が表示済条件を満たし表示済とされると、上述の手順に従って、表示割合計算部２５は表示割合を計算する。しかし、表示済範囲５０には、その一操作前までの表示済範囲と重複する部分範囲（以下、重複部分範囲と呼ぶことにする。）が含まれる。そのため、表示割合計算部２５は、重複部分範囲４９の考慮する必要がある。なお、重複部分範囲は、画像記憶部２０に記憶された表示済範囲の部分画像に付帯する位置座標の情報及び表示部分範囲の位置座標の情報に基づいて、表示済範囲特定部２４により特定される。表示割合計算部２５は、表示済範囲４１、表示済範囲４５及び表示済範囲５０の表示割合の合計から、重複部分範囲４９の表示割合を減算する。こうして、表示割合が計算される。そして、表示制御部１５は、表示部１６に表示されていた表示割合を更新する。表示済範囲５０の部分画像は、そのｘｙ範囲の位置情報とともに画像記憶部２０に記憶される。
【００８５】
次に、表示割合の計算に読影点を用いる読影点ベースの方法について説明する。図１２は、本実施形態に係る医用画像表示装置の表示割合計算部２５による面積ベースでの表示割合の計算方法を説明する図である。なお、本説明においては、読影医用画像５９を２次元ｘｙ座標系で表記する。なお、読影エリアは読影医用画像全体とする。
【００８６】
まず、読影点割当部２２は、読影医用画像５９に対して読影点を割り当てる。読影医用画像５９に割り当てられた読影点には、それぞれｘｙ座標の情報が付帯される。そして、操作部１１を介した操作者の指示に従って指定された表示部分範囲６０が表示される。表示部分範囲６０の表示条件が表示済条件を満たし表示済とされると、表示済範囲特定部２４は、表示済範囲６１の読影医用画像５９に対する拡大率及びスクロールの移動量により表示済範囲６１のｘｙ範囲を特定する。そして、表示済点特定部２３は、表示済範囲６１のｘｙ範囲及び読影点各々のｘｙ座標に基づいて、表示済範囲６１に含まれる表示済点を特定する。そして、表示割合計算部２５は、読影医用画像５９に割り当てられた読影点の総数に対する表示済点の総数に基づいて、表示割合を計算する。そして、計算された表示割合は表示部１６に表示される。なお、表示済範囲６１の部分画像は、その表示済点の位置座標情報とともに画像記憶部２０に記憶される。
【００８７】
次に、操作部１１を介した操作者の指示に従って指定された表示部分範囲６４が表示される。表示部分範囲６４の表示条件が表示済条件を満たし表示済とされると、上述の手順に従い、表示割合計算部２５は、表示済点特定部２３により特定された表示済点の合計数及び読影点の総数に基づいて、表示割合を計算する。そして、表示制御部１５は、表示部１６に表示されていた表示割合を更新する。表示済範囲６５の部分画像は、その表示済点の位置座標情報とともに画像記憶部２０に記憶される。
【００８８】
次に、操作部１１を介した操作者の指示に従って指定された表示部分範囲６８が表示される。そして、表示部分範囲６８が表示済条件を満たし表示済とされると、上述の手順に従い、表示割合計算部２５は表示割合を計算する。しかし、表示済範囲７０には、重複部分範囲６９が含まれる。そのため、表示割合計算部２５は、重複部分範囲６９に含まれる表示済点の数を考慮する必要がある。例えば、図１２において、表示済範囲６１に含まれる表示済点の数は１個、表示済範囲６５に含まれる表示済点の数は９個、表示済範囲７０に含まれる表示済点の数は９個である。従って、各表示済範囲に含まれる表示済点をそのまま数えると１９個である。しかし、重複部分範囲６９に表示済点が４個含まれるため、表示済点の総数は１５個となる。表示済点特定部２３は、画像記憶部２０に記憶された表示済点の位置座標及び表示されている表示済点の位置座標に基づいて、重複する表示済点（以下、重複表示済点と呼ぶことにする。）を特定する。なお、重複表示済点の特定は、各表示済点の位置座標に基づいて行われる必要はなく、各表示済点を特定するコードであればよい。表示割合計算部２５は、表示済点特定部２３により特定された表示済点の総数及び読影点の総数に基づいて表示割合を計算する。そして、表示制御部１５は、表示部１６に表示されていた表示割合を更新する。表示済範囲７０の部分画像は、その表示済点の位置座標情報とともに画像記憶部２０に記憶される。
【００８９】
次に、読影終了確認画像について説明する。図１３は、本実施形態に係る医用画像表示装置の読影終了確認画像発生部２９による発生される読影終了確認画像を説明する図である。なお、読影終了画像の説明において、条件記憶部１９に記憶されている表示終了割合は９０％とする。
【００９０】
例えば、図１３に示すパターンＡの状態において、表示割合は４８％である。操作者により読影終了ボタンが押されると、システム制御部１２の制御の下、表示終了判定部２８は、条件記憶部１９に記憶されている表示終了割合を読み出す。そして、表示終了判定部２８は、読影中の読影医用画像の表示割合と表示終了割合とを比較する。表示割合が４８％であるのに対し、表示終了割合は９０％であるため、表示終了判定部２８は、パターンＡの状態においては、読影が終了していないと判断する。すると、読影終了確認画像発生部２９は読影終了確認画像を発生する。読影終了確認画像は、表示割合が表示終了割合を満たしていない旨を操作者に伝えるための画像である。表示制御部１５は、読影終了確認画像を表示する。図１３に示すように、読影終了確認画像には、読影途中終了ボタンとキャンセルボタンとが含まれる。操作者により読影途中終了ボタンが押されると、表示終了判定部２８は、表示割合が表示終了割合を満たしていない状態でも読影が終了したと判断する。表示制御部１５は、システム制御部１２からの読影途中終了ボタンが押されたことを通知する信号を受信したのを契機に、読影医用画像の表示を終了する。一方、操作者によりキャンセルボタンが押されると、表示制御部１５により読影終了確認画像が非表示にされ、操作者は読影医用画像の読影を再開できる。
【００９１】
例えば、図１３に示すパターンＢの状態において、表示割合は９２％である。操作者により読影終了ボタンが押されると、システム制御部１２の制御の下、表示終了判定部２８は、条件記憶部１９に記憶されている表示終了割合を読み出す。そして、表示終了判定部２８は、読影中の読影医用画像の表示割合と表示終了割合とを比較する。表示割合が９２％であるのに対し、表示終了割合は９０％であるため、表示終了判定部２８は、パターンＢの状態において読影が終了したと判断する。すると、表示制御部１５は、表示終了判定部２８からの読影医用画像の表示終了を通知する信号を受信したのを契機に、読影医用画像の表示を終了する。
【００９２】
本実施形態に係る医用画像表示装置は、操作者による病変見落としを軽減することを目的としている。そのために、本実施形態に係る医用画像表示装置１は、読影ガイド図を表示部分範囲に重ねて表示する。読影ガイド図の表示目的は、操作者に、読影医用画像の全範囲に対する表示中の部分範囲の位置を確認させるためである。そのため、この目的を達成できるのであれば、読影ガイド図は他の形態でも良い。以下、読影ガイド図の変形例について説明する。
【００９３】
図１４は、本実施形態に係る医用画像表示装置の読影ガイド発生部２６により発生される読影ガイド図の変形例を示す図である。図１４に示すように、変形例の表示レイアウトでは、部分範囲表示エリアと複数の読影ガイドエリアとが設けられている。部分範囲表示エリアには、操作者により指定された読影医用画像の部分範囲の画像（部分画像）が表示される。複数の読影ガイドエリアには、読影医用画像における部分範囲を中心に予め設定された条件下で分割された複数の周辺範囲の画像（周辺画像）が表示される。部分画像と周辺画像との位置関係は、読影医用画像上と表示部１６の表示状態とで変わらない。表示制御部１５は、読影医用画像上で操作者により指定された部分範囲の位置に従って、読影ガイドエリアの数及びレイアウトを設定する。なお、これらのエリアの大きさは、表示制御部１５により予め設定された大きさである。しかし、操作部１１を介した操作者の指示に従って、各エリアの大きさが変更されてもよい。
【００９４】
図１４に示すように、例えば、操作者により部分範囲がパターンＡのように指定された場合において、表示制御部１５は、読影ガイドエリアを８つ設ける。これは、指定された部分範囲の周辺範囲が、部分範囲を中心に８つの方向に存在するからである。一方、操作者により部分範囲がパターンＢのように指定された場合において、表示制御部１５は、読影ガイドエリアを５つ設ける。これは、指定された部分範囲の周辺範囲が、部分範囲を中心に５つの方向に存在するからである。
【００９５】
そして、表示制御部１５により複数の読影エリアガイドの表示レイアウトが設定されると、読影ガイド発生部２６は、複数の周辺画像から、それぞれ対応する複数の読影ガイド画像を発生する。具体的には、読影ガイド発生部２６は、周辺画像に対して画像補間処理又は間引き処理などの画像処理を施す。これらの画像処理方法は一般的な方法が用いられる。この、周辺画像に画像処理が行われた画像が読影ガイド画像である。
【００９６】
読影ガイド発生部２６による読影ガイド画像の発生方法の一例について図１２に示すパターンＡで説明する。表示制御部１５は、読影医用画像上で操作者により指定された部分画像と複数の周辺画像を表示部１６に表示させる。部分画像の解像度が２００×２００であるのに対し、部分範囲表示エリアの解像度が２００×２００である。したがって、読影表示制御部１６は、部分画像をそのまま部分範囲表示エリアに表示する。一方、例えば、周辺画像Ｅの表示について、周辺画像Ｅの解像度が６００×２００であるのに対し、読影ガイドエリアＥの解像度が５０×２００である。したがって、読影ガイド発生部２６は、周辺画像Ｅを読影ガイドエリアＥに表示させるために、縦方向の解像度を合わせた読影ガイド画像Ｅを発生する。具体的には、読影ガイド発生部２６は、周辺画像Ｅの縦方向のピクセルを間引き処理する。間引き処理する間隔は、周辺画像と対応する読影ガイドエリアの解像度に従って決定される。周辺画像Ｅの縦方向のピクセル数が６００であるのに対し、読影ガイドエリアＥの縦方向のピクセル数は５０であるため、読影ガイド発生部２６は、部分画像Ｅの縦方向を１２ピクセル毎に間引き処理した読影ガイド画像Ｅを周辺画像Ｅから発生する。そして、発生された周辺画像Ｅは表示制御部１５により、読影ガイドエリアＥに表示される。
【００９７】
こうして、表示部１６には、操作者により指定された部分範囲とともに、その周辺範囲が表示される。操作者は、指定した部分範囲の位置を周辺範囲に基づいて確認しながら、部分範囲に対する読影作業が可能となる。
【００９８】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。
【符号の説明】
【００９９】
１…医用画像表示装置、２…医用画像撮影装置、３…ＰＡＣＳ、４…読影レポートシステム、１１…操作部、１２…システム制御部、１３…処理部、１４…記憶部、１５…表示制御部、１６…表示部、１７…受信部、１９…条件記憶部、２０…画像記憶部、２１…読影エリア抽出部、２２…読影点割当部、２３…表示済点特定部、２４…表示済範囲特定部、２５…表示割合計算部、２６…読影ガイド発生部、２７…条件設定部、２８…表示終了判定部、２９…読影終了確認画像発生部
【図１】
2014104040.tif 000003
【図２】
2014104040.tif 000004
【図３】
2014104040.tif 000005
【図４】
2014104040.tif 000006
【図５】
2014104040.tif 000007
【図６】
2014104040.tif 000008
【図７】
2014104040.tif 000009
【図８】
2014104040.tif 000010
【図９】
2014104040.tif 000011
【図１０】
2014104040.tif 000012
【図１１】
2014104040.tif 000013
【図１２】
2014104040.tif 000014
【図１３】
2014104040.tif 000015
【図１４】
2014104040.tif 000016